(57)【要約】【課題】冷暖房効率に優れるとともに、見栄えが損なわれることもなく埃等の通過といった問題を解消することが可能な放射パネルを提供すること。【解決手段】放射パネル１を、熱媒を流通させるための熱媒流通管２が配設されたパネル本体３と、該パネル本体３の外面から対象空間へ向けて延出する熱放射用のフィン４とを有する構成とする。フィン４により、熱放射面積を増大させるとともに、熱放射面を多方面とする。また、フィン４の表面に沿って自然対流を導くことにより、パネルに間隔やスリット、孔などを設けることを不要として見栄えを良好に維持し、逆にフィン４により放射パネル１の意匠性を向上させるとともに、埃等の通過の問題も解消する。【選択図】      図１
2008122036.tif 000002
【特許請求の範囲】
【請求項１】
熱放射により対象空間内の冷暖房を行う放射パネルであって、
熱媒を流通させるための熱媒流通管が配設されたパネル本体と、
前記パネル本体の外面から対象空間へ向けて延出する熱放射用のフィンと、を有することを特徴とする放射パネル。
【請求項２】
前記フィンが、パネル本体の外面から垂直に延出する板状の形状を有し、パネル本体の外面上に、たがいに平行な複数条をなすように形成してなるものである請求項１に記載の放射パネル。
【請求項３】
前記パネル本体が、熱媒流通管が突出しておらず平面状に形成されたパネル取付用の取付面を有するものである請求項１または２に記載の放射パネル。
【請求項４】
前記パネル本体とフィンとが、アルミニウムで一体的に成形されてなるものである請求項１〜３のいずれかに記載の放射パネル。
【発明の詳細な説明】
【技術分野】
【０００１】
本発明は、病院、高齢者施設、図書館等の各種建物内の空間内に設置されて熱放射により冷暖房を行う放射パネルに関するものである。
【背景技術】
【０００２】
室内に設置される冷暖房装置としては、従来、冷水または温水等の熱媒により空気を冷却または加熱し、これにより得られた冷気または暖気をファンにより強制的に循環させることによって室内の冷暖房を行ういわゆる強制対流空調によるものが主流であった。この強制対流空調による冷暖房では、ドラフトと呼ばれる局所的な気流が人体にあたって過度に温冷感を与えることにより快適性が損なわれたり、気流を強制的に発生させるためのファンによる騒音が伴うといった問題がある。
【０００３】
そこで、例えば図１４に示すように、室内Ｒの天井に配設される輻射パネル１０１と、この輻射パネル１０１面に沿って走るように設けられたパイプ１０２とで構成され、このパイプ１０２内に熱媒を流通させて輻射パネル１０１を冷却または加熱し、この輻射パネル１０１と人体との間で直接的に放射熱交換を行うことによって室内Ｒの冷暖房を行うようにした、放射空調と称されるものが提案されている（例えば特許文献１等参照）。
【０００４】
【特許文献１】特開平７−１９５３３号公報
【０００５】
上記のような放射空調による冷暖房装置によれば、気流を強制的に発生させずに冷暖房を行うため、ドラフトによる不快感や騒音の問題を解消することができ、さらに、強制対流空調の場合に比して、熱媒の温度をより外気温に近くなるように（即ち、冷水をより高温に、温水をより低温に）設定しても十分な冷暖房効果が得られるため、省エネルギーの冷暖房装置とすることができるという利点もある。
【０００６】
さらに、放射空調においては、気流を強制的に発生させないものであるため、これをできるだけ補うよう、例えば複数の輻射パネルを僅かに間隔をおいて配置したり、あるいは輻射パネル自体にスリットや複数の孔を設けたりすることによって、輻射パネルの上方から下方への自然対流を生じさせるようにしているものもある（図示せず）。これにより、強制対流空調の場合のようなドラフトの問題もなく、穏やかで快適な気流を得ることができる。
【発明の開示】
【発明が解決しようとする課題】
【０００７】
しかしながら、上記放射空調においては、冷暖房効率が市場を十分に満足させるレベルに達しているとは言い難いのが実情であり、この面でさらに改善が要望されているところである。
【０００８】
また、自然対流を生じさせるために輻射パネルに間隔やスリット、孔などを設けた場合、これを通して輻射パネルの裏側が室内から見えて見栄えが損なわれることや、埃等が通過するといった問題もある。
【０００９】
本発明は、かかる問題点に鑑みて案出されたものであり、冷暖房効率に優れるとともに、見栄えが損なわれることもなく埃等の通過といった問題を解消することが可能な放射パネルを提供することを目的とする。
【課題を解決するための手段】
【００１０】
本発明にかかる放射パネルは、上記目的を達成するためになされたものであり、その第１の要旨とするところは、
熱放射により対象空間内の冷暖房を行う放射パネルであって、
熱媒を流通させるための熱媒流通管が配設されたパネル本体と、
前記パネル本体の外面から対象空間へ向けて延出する熱放射用のフィンと、を有することを特徴とするものである。
【００１１】
本発明において、「対象空間」とは、一定の拡がりを有しその内部の冷暖房を行い得る空間を意味し、建物の室内やホール、エントランス等がいずれも含まれる。
【００１２】
また、本発明にかかる放射パネルの第２の要旨とするところは、前記第１の要旨において、
前記フィンが、パネル本体の外面から垂直に延出する板状の形状を有し、パネル本体の外面上に、たがいに平行な複数条をなすように形成してなるものである。
【００１３】
また、本発明にかかる放射パネルの第３の要旨とするところは、前記第１または第２の要旨において、
前記パネル本体が、熱媒流通管が突出しておらず平面状に形成されたパネル取付用の取付面を有するものである。
【００１４】
また、本発明にかかる放射パネルの第４の要旨とするところは、前記第１ないし第３の要旨において、
前記パネル本体とフィンとが、アルミニウムで一体的に成形されてなるものである。
【００１５】
本発明において、「一体的に成形する」方法には、成形材料を鋳造して成形する方法、鍛造して成形する方法、押し出して成形する方法等がいずれも含まれる。
【発明の効果】
【００１６】
本発明にかかる放射パネルによれば、熱媒を流通させるための熱媒流通管が配設されたパネル本体と、該パネル本体の外面から対象空間へ向けて延出する熱放射用のフィンとを有する構成としたので、熱放射を行い得る面積がフィンを設けた分だけ増大しており、したがって冷暖房効率がそのぶん向上したものとなっている。また、フィンを設けたことにより、熱放射を行い得る面が多方面に形成されており、このため熱放射を多方向に行うことができるようになっているので、より広範な領域にわたって熱放射が可能となり、したがってそのぶん放射パネルの設置範囲も少なくすることができコストの低減に資することができる。
【００１７】
また、フィンが対象空間へ向けて延出しているので、気流が物体の表面に沿って流れる性質（コアンダ効果）により、フィンの表面に沿って、対象空間にむかう方向に自然対流を導くことができる。したがって、従来のようにパネルに間隔やスリット、孔などを設ける必要もないため見栄えが損なわれることもなく、逆に、フィンの形成によって放射パネルの意匠性が向上しており、また、埃等の通過といった問題も解消されている。
【００１８】
また、本発明の第２の要旨にかかる放射パネルによれば、フィンが、パネル本体の外面から垂直に延出する板状の形状を有し、パネル本体の外面上に、たがいに平行な複数条をなすように形成してなる構成としたので、簡易な構成により、熱放射を行い得る面積を効率よく増大させることができ、またフィンの形成も容易となっている。
【００１９】
また、本発明の第３の要旨にかかる放射パネルによれば、パネル本体が、熱媒流通管が突出しておらず平面状に形成されたパネル取付用の取付面を有する構成としたので、放射パネルを例えば天井から吊下した構造とすることなく、直接天井スラブや天井仕上げ面に取り付けることもでき、したがって施工性を向上させることができる。
【００２０】
また、本発明の第４の要旨にかかる放射パネルによれば、パネル本体とフィンとが、アルミニウムで一体的に成形されてなる構成としたので、例えばパネル本体とフィンとがそれぞれ別に成形されて接合された場合におけるような熱損失を生じることがなく、より確実に熱伝導がなされ、アルミニウムが有する良好な熱伝導性がパネル本体とフィンとの間で損なわれることなくこれら全体にわたって発揮される。したがって放射パネルがさらに熱放射特性に優れるものとなっている。また、放射パネルの作製工程も簡略化され、放射パネルの外観も簡潔で意匠性の良好なものとなっている。さらに、アルミニウムが有する軽量性、強度、耐食性などの良好な特性もパネル本体およびフィンの全体にわたって発揮させることができ、したがって放射パネルがさらに機械的特性に優れ、施工や取扱いにも有利なものとなっている。
【発明を実施するための最良の形態】
【００２１】
以下、図面を参照しながら本発明に係る放射パネルの実施形態について説明する。図１は本実施形態の放射パネルの一部切欠斜視図、図２は図１のＡ−Ａ線矢視断面図である。
【００２２】
図１および図２に示すように、放射パネル１は、熱媒を流通させるための熱媒流通管２が配設されたパネル本体３と、該パネル本体３の外面から対象空間へ向けて延出する熱放射用のフィン４とを有する構成となっている。
【００２３】
パネル本体３は、長尺に延びる方形の薄板状に成形されたものとなっている。パネル本体３の一方面（図１および図２では下面）３Ｂには、多数のフィン４が設けられている（なお図１においては、放射パネル１の長さ方向中央部が省略されているが、パネル本体３は、長さ方向中央部だけでなく、フィン４が図示されるよう一方端も切り欠いて省略されている）。このフィン４は、パネル本体３の一方面３Ｂから、該一方面３Ｂに対し垂直に延出する板状の形状を有し、パネル本体３の該一方面３Ｂ上に、たがいに平行な複数条をなすように形成されている。各フィン４は、パネル本体３の長さ方向に沿って、パネル本体３の一端よりやや内側の位置から他端よりやや内側の位置まで、即ちパネル本体３の両端部を除くほぼ全長にわたって延びる側面視帯状に形成されている。図２に示すように、パネル本体３の一方面３Ｂからの各フィン４の延出高さｄは、各フィン４の間隔（即ちピッチ）ｄと等しくなっている。各フィン４は、一定間隔ｄをおいて計１０条をなすように配置され、最も外側に位置する両側２条のフィン４はそれぞれ、パネル本体３の両側端縁から、フィン４のピッチｄに等しい間隔ｄを隔てた内側の位置にくるように配置されている。したがって、パネル本体３の両側端縁部にはそれぞれ、上記最も外側に位置する両側２条のフィン４の位置よりもさらに外側へ、フィン４のピッチｄに等しい幅（ｄ）だけ延出する翼状部分３Ｒ、３Ｌが形成されている。以上の構成から、本実施形態では、パネル本体３の全幅はｄ×１１に等しくなっている。また、上記パネル本体３の両側端縁部に形成された翼状部分３Ｒ、３Ｌのうち、一方の翼状部分（図１および図２では右側の翼状部分）３Ｒは、フィン４の延出方向に若干の段差をもってずれた位置から外側に延びている。以下、この段差をもって外側に延びている翼状部分３Ｒを有段翼状部分３Ｒ、段差なしに外側に延びている翼状部分３Ｌを無段翼状部分３Ｌと称す。この有段翼状部分３Ｒの段差は、パネル本体３の厚さ即ち有段翼状部分３Ｒないし無段翼状部分３Ｌの厚さにほぼ等しくなるように設定されている。
【００２４】
上記パネル本体３とフィン４とは、アルミニウムを押し出し成形することにより一体的に成形されている。パネル本体３およびフィン４は同一断面が長さ方向に連続する形状を有しているため、押し出し成形により好適に成形することができる。
【００２５】
前記１０条のフィン４のうちの中央に位置する２条のフィン４とパネル本体３とによって構成される溝状部分には、熱媒流通管２が嵌入されている。この熱媒流通管２は、上記溝状部分の幅（即ちフィン４のピッチｄ）よりも若干小さい径を有し、該溝状部分内に、底部に当接するように嵌入され、該溝状部分の隅部との間の間隙はろう付け等により充填されて、熱媒流通管２と溝状部分との間で熱伝導が十分に行われ得る構成となっている。溝状部分の両端部においては、熱媒流通管２がパネル本体３の側縁の方向に向けて曲折されている。この曲折方向は、溝状部分の両端でたがいに逆方向となっており、したがって熱媒流通管２が全体として平面視概略Ｓ字状（ただし中央が長い直線状）に曲折されている。この熱媒流通管２が側方へ曲折されて延びている部分が通るパネル本体３の一方端部の領域、即ち熱媒流通管２の径より若干大きい幅を有してパネル本体３の一方端においてパネル本体３の幅方向に帯状に延びる領域においては、フィン４が切削され、これにより、側方へ延びる熱媒流通管２を配置するための配管スペース４Ｅが形成されている。この配管スペース４Ｅは、フィン４をパネル本体３と同一長さに一体成形した後、フィン４の端部を切削することによって形成されている。なお、本実施形態においては１０条のフィン４の全ての端部を切削するようにして、パネル本体３の全幅にわたって配管スペース４Ｅが形成されているが、これにかえて、配管スペースを、パネル本体３の幅方向中央から熱媒流通管２が側方へ延びる側にのみ形成し、その反対側においては、配管スペースを形成せずフィン４がパネル本体３の端部まで延びるようにしてもよい。また、パネル本体３の他方端においても、上記構造と対称形をなすようにして、同様の配管スペース４Ｅを形成するようにすればよい。上記熱媒流通管２としては、アルミニウム合金よりなる管の内面および外面をポリエチレンで被覆してなる３層構造を有し、アルミニウムの良好な熱伝導性や軽量性を損なうことなく、耐圧性、耐腐食性等が改善された管材が用いられている。
【００２６】
上記のように、熱媒流通管２はパネル本体３のフィン４が形成された一方面３Ｂ上に配設されており、パネル本体３の他方面（図１および図２では上面）３Ｔは、熱媒流通管も含めいかなる部材も配設されておらず、またいかなる突出形状も有していない平面となっており、したがって、このパネル本体３の面３Ｔを例えば天井スラブや天井仕上げ面等の平面部に密着させるようにして放射パネル１を取り付けることもできるようになっている。即ち、パネル本体３において、フィン４が形成された一方面３Ｂと反対側の他方面３Ｔが、熱媒流通管が突出しておらず平面状に形成されたパネル取付用の取付面となっている。
【００２７】
放射パネル１は、例えば図３ないし図５に示すように、複数の放射パネル１を同一平面上に並置するようにして取り付けられる。図３は放射パネル１の配置状況を示す平面図、図４は図３のＢ−Ｂ線矢視概略断面図、図５は図３のＣ−Ｃ線矢視概略断面図である（ただし、図５では明確化のため天井部および取付部材は省略し放射パネル１の配置状況のみを示す）。
【００２８】
図３に示すように、放射パネル１は、設置箇所の面積に応じ、長さ方向および幅方向にそれぞれ必要枚数を並置するようにして配置される。このとき、幅方向に隣接する放射パネル１の熱媒流通管２同士が連続するように配置され、この連続する熱媒流通管２の全体により、幅方向に並置された複数の放射パネル１の下面に沿って蛇行する形状の流路が形成されている。したがって、前記したように平面視概略Ｓ字状（ただし中央が長い直線状）に熱媒流通管２が配設された放射パネル１を便宜的にＳ型放射パネル１Ｓと称するとすると、図３に示すように、このＳ型放射パネル１Ｓの両側には、これと対称をなして平面視概略Ｚ字状（ただし中央が長い直線状）に熱媒流通管２が配設された放射パネル１がそれぞれ隣接して配置され、この後者の放射パネル１を便宜的にＺ型放射パネル１Ｚと称する。本実施形態では、長さ方向に隣接する放射パネル１の熱媒流通管２同士も対称をなすように、即ちＳ型放射パネル１Ｓと長さ方向に隣り合う位置に配置されているのもＺ型放射パネル１Ｚとなっている。このようにＳ型放射パネル１ＳとＺ型放射パネル１Ｚとを長さ方向に隣接させて配置する必要はないが、このように配置すると、幅方向における末端部に配置された放射パネル１において、長さ方向に隣接する放射パネル１の熱媒流通管２の端部同士が近接する位置にくるためこれらを連続させるのに有利である。
【００２９】
なお熱媒流通管２は、放射パネル１のフィン４とパネル本体３とによって構成される溝状部分に嵌入される直管部分が予め各放射パネル１に配設されており、この直管部分の両端はそれぞれ、放射パネル１を取付位置に配置した後、幅方向に隣接する放射パネル１に配設された熱媒流通管２の直管部分の端部に、一本のパイプにより直接的に連結される。あるいはこれにかえて、この放射パネル１の幅方向に延びる連結部分のパイプを２分して、それぞれ予め各放射パネル１に配設し、各放射パネル１でそれぞれＳ型またはＺ型に熱媒流通管２を構成しておくようにして、放射パネル１を取付位置に配置する工程で、幅方向に隣接する放射パネル１の熱媒流通管２同士を連結するようにしてもよい。
【００３０】
上記のように配置された熱媒流通管２は、複数の放射パネル１の下面に沿って蛇行し、全体として連通する流路を形成しており、その両端部は熱媒加熱／冷却手段（図示せず）に接続され、熱媒流通管２を加熱または冷却された熱媒が流通するように構成されている。
【００３１】
各放射パネル１は、図４に示すように、天井部から吊下するようにして取り付けられている。天井スラブ５には埋込ボルト６を介し吊下部材７が垂下され、該吊下部材７からはさらに横架材８が垂下されている。吊下部材７は、帯状に延びる金属板の一端部を鉤形状に折曲してなる折曲部７１にボルト挿通孔を穿設するとともに、他端部に、先端面の中央部を溝状に開口した側面視概略矩形状の把持部７２を設けた構成を有し、折曲部７１のボルト挿通孔が埋込ボルト６に挿通され上下からナット９により挟持されるようにして固定されている。横架材８は、帯状に延びるウエブ８１の一方端縁に、断面矩形状に膨出した形状を有しウエブ８１の長さ方向に沿って角柱状に延びる膨出部８２を設けるとともに、他方端縁に、ウエブ８１に垂直なフランジ８３を設けた形状に成形されてなる金属製の長尺材であり、膨出部８２を上記吊下部材７の把持部７２内に挿通するようにして吊下部材７から垂下されている。横架材８のフランジ８３上には、放射パネル１の端部が載置固定され、これにより放射パネル１が天井部から吊下するようにして取り付けられた構造となっている。
【００３２】
図５に示すように、放射パネル１の無段翼状部分３Ｌと、幅方向に隣接する放射パネル１の有段翼状部分３Ｒとは上下に重合され、これにより、幅方向に隣接する放射パネル１同士が連結されている。このとき、有段翼状部分３Ｒおよび無段翼状部分３Ｌのそれぞれの幅はフィン４のピッチｄに等しいので、幅方向に隣接する放射パネル１のフィン４同士もこのピッチｄに等しい間隔ｄをもって並置され、したがって幅方向に隣接する放射パネル１のフィン４の全体が一定ピッチｄで整然と並置されることとなる。また、前記したように有段翼状部分３Ｒの段差は無段翼状部分３Ｌの厚さに等しいため、これら両放射パネル１のパネル本体３におけるフィン４が形成されていない一方面（即ちパネル取付用の取付面）３Ｔ同士が面一となっている。
【００３３】
（作用）
上記のようにして設置された放射パネル１の熱媒流通管２に、水等の熱媒を熱媒加熱／冷却手段により加熱または冷却して流通させると、熱媒流通管２からパネル本体３に熱／冷熱が伝導され、放射パネル１から熱放射がなされて室内空間Ｒの冷暖房が行われる。このとき、放射パネル１にフィン４が設けられていることにより、フィンが形成されていない平面の熱放射面の場合に比して、熱放射面の表面積が３倍に増大しているので、熱放射の効率がそれだけ増大しており、したがって冷暖房効率が大幅に向上している。また、パネル本体３から図５中の矢印Ｈ１に示すように下方へ熱放射がなされるだけでなく、フィン４から矢印Ｈ２に示すように側方にも熱放射がなされるため、放射パネル１を室内空間Ｒの中央部のみに配置してその周縁部には配置しないようにしても、この周縁部においても熱放射により冷暖房がなされ得るようになっている。したがって、良好な冷暖房効率を維持したままで放射パネル１の設置面積を低減することができる。
【００３４】
また、図５中の矢印Ｆに示すように、自然対流がフィン４の表面に沿って室内空間Ｒに向かうようになる。このため、放射パネル１に従来のような間隔やスリット、孔などが設けられていないにもかかわらず、室内空間Ｒにむかう方向に自然対流を導くことができるようになっている。したがって、間隔やスリット、孔などにより放射パネル１の見栄えが損なわれることもなく、逆に、フィン４の形成によって放射パネル１の意匠性が向上しており、また、埃等の通過といった問題も解消されている。
【００３５】
また、フィン４が、パネル本体３の外面から垂直に延出する板状の形状を有し、パネル本体３の外面上に、たがいに平行な複数条をなすように形成してなる構成としたので、簡易な構成により、熱放射面の表面積が効率よく増大しており、またフィン４の形成も容易となっている。
【００３６】
また、本実施形態においては、前記したように放射パネル１を天井から吊下するようにして取り付けるようにしているが、パネル本体３が、熱媒流通管２が突出しておらず平面状に形成されたパネル取付用の取付面３Ｔを有する構成となっているので、例えば、後述するように直接天井スラブや天井仕上げ面に放射パネル１を取り付けることもでき、したがって施工性を向上させることができる。
【００３７】
また、パネル本体３とフィン４とが、アルミニウムで一体的に成形されてなる構成としたので、パネル本体とフィンとがそれぞれ別に成形されて接合された場合におけるような熱損失を生じることがなく、より確実に熱伝導がなされ、アルミニウムが有する良好な熱伝導性がパネル本体３とフィン４との間で損なわれることなくこれら全体にわたって発揮される。したがって放射パネル１がさらに熱放射特性に優れるものとなっている。
【００３８】
ここで、パネル本体３およびフィン４の成形方法としては押し出し成形が用いられているので、同一断面が長さ方向に連続する形状を生かして、放射パネル１の作製を少ない工程で、かつ簡便に行うことができる。
【００３９】
また、放射パネル１の外観も簡潔で意匠性の良好なものとなっており、さらに、アルミニウムが有する軽量性、強度、耐食性などの良好な特性をパネル本体３およびフィン４の全体にわたって発揮させることができ、したがって放射パネル１がさらに械的特性に優れ、施工や取扱いにも有利なものとなっている。特に、本実施形態においては、パネル本体３が方形の薄板状に成形され、その一方面から多数のフィン４が整然とストライプをなすようにして形成されており、放射パネル１が全体として軽量かつ意匠性に優れる内装材としての機能も奏し得るものとなっている。
【００４０】
（変更態様）
図６は、放射パネル１を直接天井仕上げ面に取り付けた例を示す模式図である。同図に示す例では、天井スラブ１１から吊下するようにして天井パネル１２が敷設され、この天井パネル１２の下面に放射パネル１が取り付けられている。放射パネル１は、前記したように熱媒流通管２が突出しておらず平面状に形成されたパネル取付用の取付面３Ｔを有する構成となっており、この取付面３Ｔを天井パネル１２の下面に密着させ、タッピングビス等の適宜な固定手段（図示せず）により固定されている。このように取付面３Ｔで放射パネル１を容易に取り付けられるとともに、本実施形態では放射パネル１がアルミニウムを押し出し成形してなる薄板状の軽量の部材となっており、簡易な固定手段により固定することができ、したがって施工性が良好となっている。
【００４１】
また、天井部の構造によっては、例えば放射パネル１を直接天井スラブに取り付けることも可能である。この場合の取付構造は、前記天井仕上げ面に取り付けた場合の取付構造とほぼ同様である。
【００４２】
図７は、放射パネルの別の実施形態を示す断面図である。同図に示す放射パネル２１は、フィン２４のピッチｄ２を、前記図１および図２に示す放射パネル１のフィン４のピッチｄよりも小とし、フィン２４をさらに密に形成するようにした点以外はすべて、フィン２４の延出高さｄが同一である点も含め、前記図１および図２に示す放射パネル１と同様の構成となっている。また、熱媒流通管２２を嵌入させる溝状部分の幅、ならびに幅方向に隣接する放射パネル２１同士の連結部分すなわち重合部分の面積が不十分となることがないよう、幅方向中央に位置する２条のフィン２４の間隔、ならびにパネル本体２３の両側端縁部に形成された翼状部分２３Ｒ、２３Ｌの幅は、前記図１および図２に示す放射パネル１のフィン４のピッチｄにそれぞれ等しくなっている。前記のようにフィン２４をさらに密に形成することにより、熱放射面の表面積をさらに増大させることができる。
【００４３】
また、フィンのピッチだけでなく、延出長さ、厚さ等の寸法や形状も特に限定されるものではなく、例えば、径が漸次異なる複数の平面視円形状のフィンを同心円をなすように配置したものや、平面視直線状のフィンを格子状に配置したもの等、任意の形状のものが可能である。また、フィンの形成方法としても、押し出し成形以外にも例えばダイカスト等の公知の成形方法がいずれも採用でき、さらには、例えばフィンのみを別に成形してこれをパネル本体に溶接等により接合するといった方法も可能であり、これらの方法は、例えば上記平面視円形状、格子状等のフィンのように、押し出し成形によりパネル本体と一体的に成形することができないフィンを形成する場合には好適に適用される。
【００４４】
さらに、フィンないしパネル本体の材質としても、アルミニウムやその合金以外にも、例えば銅やその合金、ステンレス等よりなるもの等も使用することができる。
【００４５】
一方、熱媒流通管２として、丸パイプ以外にも角パイプを使用してもよく、その材質としてもアルミニウムやその合金の他、例えば銅やその合金、ステンレス等よりなるもの等も使用することができる。
【００４６】
図８は、放射パネルの別の実施形態を示す断面図である。同図に示す放射パネル３１は、熱媒流通管３２が、パネル本体３３のフィン３４が形成された一方面３３Ｂとは反対側の面（図８では上面）３３Ｔ上に配設されている点以外は、前記図１および図２に示す放射パネル１と同様の構成となっている。パネル本体３３のフィン３４が形成された一方面３３Ｂとは反対側の面３３Ｔ上には、幅方向中央部に、円筒体の周壁の一部を長さ方向に沿って溝状に開口して断面概略Ｃ字形状とした管保持部３７が、その開口部分を外側に向けるようにしてパネル本体３３に一体的に成形されており、この管保持部３７内に熱媒流通管３２が嵌入され、管保持部３７の周壁の弾性により固定されている。この構造では、熱媒流通管３２の外周面が管保持部３７の周壁の内面と十分に密着し、これにより、管保持部３７を介し熱媒流通管３２とパネル本体３３との間で十分に熱伝導が行われ得るようになっている。このように熱媒流通管３２とフィン３４とをパネル本体３３の別の面上にそれぞれ配設することにより、熱媒流通管３２を例えば天井側に向けるようにして放射パネル３１を取り付けることができ、室内Ｒ側から熱媒流通管３２が見えない配置構成とすることができる。これにより、放射パネル３１の室内Ｒ側からの見栄えを向上させることができ、またフィン３４の設計の自由度も向上する。
【００４７】
なおこの場合、熱媒流通管３２がパネル本体３３のフィン３４が形成された一方面３３Ｂとは反対側の面３３Ｔ上に突出する構成となっているため、例えば放射パネル３１を天井部に配設する場合には、前記図４に示す取付構造と同様にして、天井部から吊下するようにして取り付ければよい。
【００４８】
図９は、放射パネルの別の実施形態を示す断面図である。同図に示す放射パネル４１は、パネル本体４３が、平板状ではなく断面山形状（鋸歯状）に折曲した形状に成形され、これにより幅方向に隣接する複数の放射パネル４１が断面Ｗ字形の波形状をなして連なるように構成されている点以外は、前記図１および図２に示す放射パネル１と同様の構成となっている。このようにパネル本体４３を波形状のものとすることにより、フィン４４による熱放射面積の増大に加え、パネル本体４３自体の熱放射面積も増大している。なおこの例では、放射パネル４１の設置面（天井面、壁面等）に対しフィン４４が垂直に延出するように構成され、全てのフィン４４がパネル本体４３の一方面側の同一方向に向けてたがいに平行な状態で延出するように形成されているが、これにかえて、例えば図１０に示すように、フィン５４をパネル本体５３の外面に対し垂直に延出するようにし、各フィン５４がパネル本体５３の波形の外面形状に応じて、放射パネル５１の設置面に対し傾斜しながら延出する構成としてもよい。
【００４９】
さらにまた、例えば図１１に示すように、パネル本体６３を、断面矩形状に折曲した形状に成形し、幅方向に隣接する複数の放射パネル６１により断面略矩形状の凹凸が連続する構成としてもよい。この構成によれば、熱媒流通管６２を、パネル本体６３の設置面に対向する側に形成された凹条６７内に配設して室内Ｒ側から見えない構成とすることができ、かつ該凹条６７の両側に形成された凸条６８の端面をパネル取付用の取付面６３Ｔとすることができる。さらには、この断面矩形状のパネル本体６３における凹条６７を、例えば図１２に示すように、断面Ｕ字形状に湾曲した底面形状を有する凹条９７に変更した放射パネル９１としてもよい。この場合も、熱媒流通管９２を、パネル本体９３の設置面に対向する側に形成された凹条９７内に配設することができるとともに、該凹条９７の両側に形成された凸条９８の端面をパネル取付用の取付面９３Ｔとすることができる。
【００５０】
図１３は、放射パネルの別の実施形態を示す断面図である。同図に示す放射パネル１１１は、配管スペースが形成されておらず全てのフィン１１４がパネル本体１１３の一方端から他方端まで全長にわたって形成され、熱媒流通管１１２がパネル本体１１３の両端よりも外方へ延出してパネル本体１１３の外部で側方へ曲折されるように構成されている点以外は、前記図１および図２に示す放射パネル１と同様の構成となっている。この構成によれば、フィン１１４を切削する必要がないため、放射パネル１１１の製造がそのぶん簡略化され、また熱放射面の面積が低減されず放射パネル１１１の全長にわたってフィン１１４による熱放射を行うことができる。
【００５１】
また、前記した通り、前記図１および図２に示す放射パネル１には間隔やスリット、孔などは設けられていないが、例えば隣接する放射パネルを適宜な間隔をおいて配置したり、パネル本体に適宜な寸法および形状のスリットを形成したりすることによって、フィンだけでなくこれら間隔やスリット、孔などによってさらに自然対流が生じやすくした構成としてもよい（図示せず）。
【００５２】
また、放射パネルは天井部以外にも、例えば壁面にも取り付けることができる。この場合、前記放射パネルを天井部に取り付けた場合と同様に、放射パネル自体を壁面の仕上げ部材として取り付けるようにしてもよく、あるいは、壁面の仕上げ面上に放射パネルを全面的にまたは部分的に取り付けるようにしてもよい。さらには、放射パネルは建物の室内だけでなく、例えばホール、エントランス等の空間における天井や壁面等にも配設することができる。
【産業上の利用可能性】
【００５３】
本発明は、内部の冷暖房を行い得る空間であればいずれにも適用することができ、病院、高齢者施設、図書館等の各種建物内の空間に広汎に適用することが可能である。
【図面の簡単な説明】
【００５４】
【図１】本発明の一実施形態にかかる放射パネルの一部切欠斜視図である。
【図２】図１のＡ−Ａ線矢視断面図である。
【図３】放射パネルの配置状況の一例を示す平面図である。
【図４】図３のＢ−Ｂ線矢視概略断面図である。
【図５】図３のＣ−Ｃ線矢視概略断面図である。
【図６】放射パネルの取付構造の他の例を示す模式図である。
【図７】他の実施形態にかかる放射パネルの断面図である。
【図８】他の実施形態にかかる放射パネルの断面図である。
【図９】他の実施形態にかかる放射パネルの断面図である。
【図１０】他の実施形態にかかる放射パネルの断面図である。
【図１１】他の実施形態にかかる放射パネルの断面図である。
【図１２】他の実施形態にかかる放射パネルの断面図である。
【図１３】他の実施形態にかかる放射パネルの斜視図である。
【図１４】従来の冷暖房装置の一例を示す模式斜視図である。
【符号の説明】
【００５５】
１：放射パネル
２：熱媒流通管
３：パネル本体
４：フィン
【図１】
2008122036.tif 000003
【図２】
2008122036.tif 000004
【図３】
2008122036.tif 000005
【図４】
2008122036.tif 000006
【図５】
2008122036.tif 000007
【図６】
2008122036.tif 000008
【図７】
2008122036.tif 000009
【図８】
2008122036.tif 000010
【図９】
2008122036.tif 000011
【図１０】
2008122036.tif 000012
【図１１】
2008122036.tif 000013
【図１２】
2008122036.tif 000014
【図１３】
2008122036.tif 000015
【図１４】
2008122036.tif 000016